(57)【要約】【課題】  昆布などの根が絡み付く種類の海藻だけでなく、ホンダワラなどの横方向に根が張る種類の海藻の生育にも用いることができ、しかも着生部と浮力体５をアンカー３につなぎ止める係留索２の破断を抑制することができる中層浮藻場を提供する【解決手段】  着生部である海藻生育水平基盤４と、該海藻生育水平基盤４の下部に設けられた浮力体５とが、係留索２を介して所定の水深位置にアンカー３で係留される中層浮藻場であって、係留索２を、比重が大きくしかも耐摩耗性に優れる金属ワイヤー又はチェーンで構成する。【選択図】  図１
2007014236.tif 000002
【特許請求の範囲】
【請求項１】
海藻生育水平基盤と、該海藻生育水平基盤の下部に設けられた浮力体と、海藻生育水平基盤および浮力体を海底のアンカーに係留するための係留索とからなる中層浮藻場において、係留索が、金属ワイヤー又はチェーンで構成されていることを特徴とする中層浮藻場。
【請求項２】
係留索の中間部に重りが取り付けられていることを特徴とする中層浮藻場。
【発明の詳細な説明】
【技術分野】
【０００１】
本発明は、着底式の剛構造物の設置による海藻育成促進が困難な海域に海藻群落を形成するために用いられる中層浮藻場に関する。
【背景技術】
【０００２】
従来、中層浮藻場としては、縦綱と横綱を格子状に接合した格子状綱棚の各格子目に、海藻の着生部である網を取り付けたものを、海面上の浮力体から所用の水深位置に吊り下げると共に、海底に設けた固定ブロックなどのアンカーにロープでつないで係留したものが知られている（例えば、特許文献１参照）。
【０００３】
また、枠状のフレームに、海藻の着生部である網と、浮力体としてのボードとを設けたものを、海底に設けたアンカーにロープでつないで所用の水深位置に係留したものが知られている（例えば、特許文献２参照）。
【０００４】
【特許文献１】特開２００３−４７３６４号公報
【特許文献２】特開昭６２−３６１２６号公報
【発明の開示】
【発明が解決しようとする課題】
【０００５】
しかしながら、特許文献１に記載の中層浮藻場は、着生部が、格子状の綱で支持された網で構成されており、しかも海面上の浮力体から吊り下げられていることから、波によって浮力体が上下するに伴って絶えず波打ち、水平を維持しにくい。このため、昆布などのように根が絡み付く種類の海藻（以下「昆布類」という）を生育させることはできるものの、ホンダワラなどのように横方向に根が張る種類の海藻（以下「ホンダワラ類」という）の生育が難しい問題がある。
【０００６】
一方、特許文献２に記載の中層浮藻場は、着生部と浮力体がほぼ一体となって共に海中に位置することから、上記特許文献１の中層浮藻場ほど波の影響を受けないが、荒天時に係留索として用いているロープが破断しやすい問題がある。さらに説明すると、中層浮藻場の着生部は、通常、水深１０ｍ以浅に設けられるが、２０ｍを超えるような高波が発生する荒天時には、波の谷部の接近によって着生部と浮力体が海面上に露出し、波の谷底に向かって沈み込んだ後、波の峯部の接近によって元の位置まで浮上することが繰り返される。これによって、着生部と浮力体をアンカーにつなぎ止めているロープは、弛んだ状態から一気に緊張した状態へ引っ張られる衝撃を繰り返し受けると共に、弛んだときに垂れ下がって海底に接触する部分が繰り返し海底に擦り付けられて破断するに至ることになる。
【０００７】
本発明は、上記従来の問題点に鑑みてなされたもので、昆布類だけでなく、ホンダワラ類の生育にも用いることができ、しかも着生部と浮力体をアンカーにつなぎ止める係留索の破断を抑制することができる中層浮藻場を提供することを目的とする。
【課題を解決するための手段】
【０００８】
上記目的のために、本発明は、海藻生育水平基盤と、該海藻生育水平基盤の下部に設けられた浮力体と、海藻生育水平基盤および浮力体を海底のアンカーに係留するための係留索とからなる中層浮藻場において、係留索が、金属ワイヤー又はチェーンで構成されていることを特徴とする中層浮藻場を提供するものである。
【０００９】
また、上記本発明は、係留索の中間部に重りが取り付けられていることをその好ましい態様として含むものである。
【発明の効果】
【００１０】
本発明の中層浮藻場は、着生部である海藻生育水平基盤と浮力体が共に所定の水深位置（通常水深１０ｍ以浅）に係留されるものであることから、海藻生育水平基盤を水平に保ちやすく、昆布類だけでなく、ホンダワラ類の生育にも用いることができる。
【００１１】
また、本発明の中層浮藻場の係留索は、金属ワイヤー又はチェーンで構成されており、比重が大きいことから、荒天時に着生部である海藻生育水平基盤と浮力体が沈み込んでから元の位置へと浮上するときの浮上力を押え、衝撃を緩和することができる。加えて、金属ワイヤー又はチェーンは耐摩耗性に優れていることから、海底との接触による損傷も抑制することができ、これらによって荒天時の破断を防止することができる。
【発明を実施するための最良の形態】
【００１２】
以下、図面に基づいて本発明をさらに説明する。なお、以下で説明する各図において、同じ符号は同様の部材又は部位を示す。
【００１３】
図１は本発明に係る中層浮藻場の第１の例を示す側面図、図２は図１に示される中層浮藻場の本体部の平面図である。
【００１４】
図中、１は本体部、２は係留索、３はアンカーである。
【００１５】
本体部１は、海藻の着生部である海藻生育水平基盤４と、浮力体５で構成されている。
【００１６】
海藻生育水平基盤４は、図２に明示されるように、直径の異なる複数の環材４ａを複数の棒材４ｂで連結したものとなっている。海藻生育水平基盤４は、水平形状を維持できる剛性を備えたもので、これを構成する環材４ａと棒材４ｂは、例えば繊維強化プラスチックや金属（例えば防食処理を施した鋼材、ステンレススチールなど）などの剛性材料で構成されている。
【００１７】
浮力体５は、上記海藻生育水平基盤４の下部に、上記海藻生育水平基盤４との間に適宜の隙間をあけて取り付けられている。浮力体５としては、中空構造物、発泡プラスチック成形体、エアバッグなどを用いることができる。
【００１８】
係留索２は、比重が大きく、耐摩耗性に優れた金属ワイヤー又はチェーンで構成されている。係留索２を構成する金属としては、例えば防食処理を施した鉄、鋼材やステンレススチール等を用いることができる。
【００１９】
前記本体部１と係留索２間は、本体部１を係留索２に対して安定させることができるよう、それぞれ上端が本体部１の異なる位置に取り付けられた複数本の縦連結索６を介して連結されている。縦連結索６としては、複数本を用いることで、全体として係留索２と同等以上の強度が得やすく、しかも係留索６よりも上方に位置し、海底７に擦り付けられる心配もないことから、繊維材料で構成されたロープを用いることができる。
【００２０】
係留索２の下端が連結されているアンカー３は、本体部１が流されないように、所定の位置に係留しておくためのもので、通常、コンクリート構造物などの重量物が用いられる。
【００２１】
本例の中層浮藻場は、昆布類の生育に適したもので、その生育は、海藻生育水平基盤４に昆布類の種糸を巻き付けた基質をを取り付けておくことで行うことができる。
【００２２】
ホンダワラ類の生育に際しては、図３及び図４に示されるように、海藻生育水平基盤４の上面にネット８を張っておき、このネット８にホンダワラ類をくくり付けることが好ましい。くくり付けは、ホンダワラ類下部の二股分岐部をバンドや紐などで縛り付けることで行うことが好ましい。
【００２３】
図３に示されるように、海藻生育水平基盤４の内周部分のみにネット８を張ると、外周部分で昆布類を育成すると同時に、内周部分でホンダワラ類の育成を行うことができる。図示される態様とは逆に、ネット８を外周部分にのみに張ることもできる。
【００２４】
図４に示されるように、海藻生育水平基盤４の上面前面にネット８を張ることもできる。この場合、主にホンダワラ類を育成するのに適した中層浮藻場となる。
【００２５】
図５は本発明に係る中層浮藻場の第２の例を示す側面図である。
【００２６】
本例の中層浮藻場は、それぞれ上端が本体部１の異なる箇所に連結された複数の係留索２と、それぞれ係留索２の下端が連結され、しかも間隔をあけて配置された複数のアンカー３を備えたものとなっている。このようにすると、流れの速い海域に設置した場合でも、流れによる倒れ込みを防止しやすくなる。
【００２７】
図６は本発明に係る中層浮藻場の第３の例を示す平面図、図７は図６に示される中層浮藻場の側面図である。
【００２８】
本例においては、図１で説明した中層浮藻場を１ユニットとして、同じ海域に複数ユニットが併設されており、各ユニットの本体部１間が横連結索９で連結されている。このようにすると、広い領域に中層浮藻場を形成することができると同時に、流れの速い海域でも倒れ込みを防止することができる。
【００２９】
図８は本発明に係る中層浮藻場の第４の例を示す側面図である。
【００３０】
本例の中層浮藻場は、基本的には図１の第１の例と同様であるが、係留索２の中間部に重り１０が取り付けられている点が相違している。この重り１０を取り付けておくと、荒天時の高波で本体部１が浮沈を繰り返す際に、重りによって浮上力を大きく抑制することができ、浮上に伴って係留索２に加わる緊張衝撃を大きく緩和することができる。また、設置海域の深さの変動に伴って係留索２の長さが変動し、使用係留索２の全重量も変動するが、これを重り１０の交換で調整することができる。
【図面の簡単な説明】
【００３１】
【図１】本発明に係る中層浮藻場の第１の例を示す側面図である。
【図２】図１に示される中層浮藻場の本体部の平面図である。
【図３】本体部の他の例を示す平面図である。
【図４】本体部のさらに他の例を示す平面図である。
【図５】本発明に係る中層浮藻場の第２の例を示す側面図である。
【図６】本発明に係る中層浮藻場の第３の例を示す平面図である。
【図７】図６に示される中層浮藻場の側面図である。
【図８】本発明に係る中層浮藻場の第４の例を示す側面図である。
【符号の説明】
【００３２】
１    本体部
２    係留索
３    アンカー
４    海藻生育水平基盤
４ａ  環材
４ｂ  棒材
５    浮力体
６    縦連結索
７    海底
８    ネット
９    横連結索
１０  重り
【図１】
2007014236.tif 000003
【図２】
2007014236.tif 000004
【図３】
2007014236.tif 000005
【図４】
2007014236.tif 000006
【図５】
2007014236.tif 000007
【図６】
2007014236.tif 000008
【図７】
2007014236.tif 000009
【図８】
2007014236.tif 000010